(57)【要約】  ユーザ装置（１）が、モバイルネットワークの無線アクセスネットワークと関連付けられ、かつ前記モバイルネットワークのコアネットワークと関連付けられた中央アクセスネットワーク発見および選択機能（４）サーバが少なくともローカルポリシーに関する委譲を行うローカルアクセスネットワーク発見および選択機能（６）サーバにアクセスできるようにするための方法であって、この方法は、前記モバイルネットワークにおいて前記アクセスのために確立される専用ベアラを用いる前記アクセスを可能にすることを含む。
2016536814.tif 000002
【特許請求の範囲】
【請求項１】
モバイルネットワークのコアネットワークと関連付けられた中央アクセスネットワーク発見および選択機能（４）サーバであって、前記モバイルネットワークの無線アクセスネットワークと関連付けられ、かつ中央アクセスネットワーク発見および選択機能サーバが少なくともローカルポリシーに関する委譲を行うローカルアクセスネットワーク発見および選択機能（６）サーバへのユーザ装置（１）によるアクセスのために前記モバイルネットワークにおける専用ベアラの確立のトリガリングを要求するように構成された、中央アクセスネットワーク発見および選択機能（４）サーバ。
【請求項２】
ユーザ装置から受信したポリシー要求メッセージ（１００）に応答してポリシー委譲メッセージ（１０１）を送信するようにさらに構成され、前記ポリシー委譲メッセージ（１０１）が、ローカルアクセスネットワーク発見および選択機能サーバに関する情報を含む、請求項１に記載の中央アクセスネットワーク発見および選択機能サーバ。
【請求項３】
ポリシー課金ルール機能（５）モジュールに専用ベアラの確立のトリガリングを要求するようにさらに構成される、請求項１または２に記載の中央アクセスネットワーク発見および選択機能（４）サーバ。
【請求項４】
ユーザ装置（１）であって、モバイルネットワークの無線アクセスネットワークと関連付けられ、かつ前記モバイルネットワークのコアネットワークと関連付けられた中央アクセスネットワーク発見および選択機能（４）サーバが少なくともローカルポリシーに関する委譲を行うローカルアクセスネットワーク発見および選択機能（６）サーバに、前記アクセスのために前記モバイルネットワークにおいて確立される専用ベアラを介してアクセスするように構成された、ユーザ装置（１）。
【請求項５】
−  中央アクセスネットワーク発見および選択機能（４）サーバにポリシー要求メッセージ（１００）を送信して、ポリシー情報を取得または更新し、
−  中央アクセスネットワーク発見および選択機能（４）サーバからポリシー委譲メッセージ（１０１）を受信するようにさらに構成され、前記ポリシー委譲メッセージが、中央アクセスネットワーク発見および選択機能（４）サーバが少なくともローカルポリシーをローカルアクセスネットワーク発見および選択機能（６）サーバに委譲することをユーザ装置（１）に通知し、かつローカルアクセスネットワーク発見および選択機能（６）サーバに関する情報を含むポリシー委譲メッセージ（１０１）である、請求項４に記載のユーザ装置（１）。
【請求項６】
ローカルアクセスネットワーク発見および選択機能（６）サーバに関する情報を、専用ベアラに関係する情報と関連付けるようにさらに構成された、請求項５に記載のユーザ装置（１）。
【請求項７】
ユーザ装置（１）との間の専用無線アクセスベアラ（８）を確立するように構成されたモバイルネットワークの基地局（２）であって、専用無線アクセスベアラ（８）が、前記モバイルネットワークの無線アクセスネットワークと関連付けられ、かつ中央アクセスネットワーク発見および選択機能（４）サーバが少なくともローカルポリシーに関する委譲を行うローカルアクセスネットワーク発見および選択機能（６）サーバにユーザ装置（１）によってアクセスするのに用いられる、モバイルネットワークの基地局（２）。
【請求項８】
−  専用無線アクセスベアラ（８）からユーザ装置（１）着信データを抽出し、
−  抽出したデータをローカルアクセスネットワーク発見および選択機能（６）サーバに対して伝送するように構成されたモジュール（１１）を備える、請求項７に記載の基地局（２）。
【請求項９】
モジュール（１１）が、
−  専用無線アクセスベアラ（８）に関係する情報を格納し、
−  ユーザ装置（１）からの着信アップリンクデータに関連付けられたベアラごとにベアラ情報を検証し、
−  ベアラ情報が格納された専用無線アクセスベアラ（８）に関係する情報と一致するときに、データを抽出し、ローカルアクセスネットワーク発見および選択機能（６）サーバに対して伝送するようにさらに構成された、請求項８に記載の基地局（２）。
【請求項１０】
ベアラ情報がトンネルエンドポイント識別子または識別子のサービス品質クラスを含む、請求項９に記載の基地局。
【請求項１１】
モジュール（１１）が、専用無線アクセスベアラ（８）を用いてローカルアクセスネットワーク発見および選択機能（６）サーバからユーザ装置（１）にデータを伝送するようにさらに構成された、請求項５から７のいずれか一項に記載の基地局（２）。
【請求項１２】
ユーザ装置（１）が、モバイルネットワークの無線アクセスネットワークと関連付けられ、かつ前記モバイルネットワークのコアネットワークと関連付けられた中央アクセスネットワーク発見および選択機能（４）サーバが少なくともローカルポリシーに関する委譲を行うローカルアクセスネットワーク発見および選択機能（６）サーバにアクセスできるようにするための方法であって、前記モバイルネットワークにおいて前記アクセスのために確立される専用ベアラを用いる前記アクセスを可能にすることを含む、アクセスできるようにするための方法。
【請求項１３】
中央アクセスネットワーク発見および選択機能（４）サーバによって、ローカルアクセスネットワーク発見および選択機能（６）サーバへのあるレベルのポリシー制御の委譲をユーザ装置（１）に通知することをさらに含む、請求項１２に記載の方法。
【請求項１４】
中央アクセスネットワーク発見および選択機能（４）サーバによって、ポリシー課金ルール機能（５）モジュールに、専用ベアラの確立をトリガーするよう要求することをさらに含む、請求項９または１０に記載の方法。
【請求項１５】
専用ベアラの確立のトリガリングに続いて、基地局（２）がユーザ装置（１）との間の専用無線アクセスベアラ（８）を確立し、専用無線アクセスベアラ（８）が、ローカルアクセスネットワーク発見および選択機能（６）サーバへの前記アクセスのために用いられる、請求項１４に記載の方法。
【発明の詳細な説明】
【技術分野】
【０００１】
本発明は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ：アクセスネットワーク発見および選択機能）の技術分野に関し、詳細には、ローカルＡＮＤＳＦサーバにアクセスするためのシステムおよび方法に関する。
【背景技術】
【０００２】
増大するモバイルトラフィック需要の問題に対処し、モバイルネットワーク能力を向上させるために、モバイルネットワークオペレータ（ＭＮＯ）は現在、ヘテロジニアスアクセスネットワークの利点を活用している。このようなヘテロジニアスアクセスネットワークは、例えば、ＷＬＡＮ（例えばＷｉ−Ｆｉ）のような非３ＧＰＰアクセスネットワークとインターフェース接続されたＬＴＥのような３ＧＰＰ技術であり得る。各ネットワークは、トラフィック需要の管理および効果的なユーザ体験の提供を可能にするポリシー即ちネットワークオーナーによって設けられるルールを実行している。例えば、ポリシーは、トラフィック制約、ネットワーク負荷の変更、ユーザ加入またはＱｏＳ（Ｑｕａｌｉｔｙ  ｏｆ  Ｓｅｒｖｉｃｅ：サービス品質）の優先順位付けの管理を可能にすることができる。
【０００３】
ヘテロジニアスのオペレータ環境においては、各ネットワークは単一のネットワークオペレータによって所有および制御され得、また、さまざまなネットワークは常に同一のポリシーの実行を提供するとは限らない。したがって、ヘテロジニアスネットワーク環境におけるモバイルネットワークオペレータにとっての１つの課題は、ユーザ選択を考慮に入れると同時に、ＵＥ（ｕｓｅｒ  ｅｑｕｉｐｍｅｎｔ：ユーザ装置）に一貫性のあるポリシーの実行を提供することである。
【０００４】
本明細書においては、「ユーザ装置」で、セルラーネットワークのようなモバイルネットワークまたはＷｉ−ＦｉネットワークのようなＷＬＡＮへの接続を可能にする手段を備える任意のデバイス（例：スマートフォン、タブレット、ラップトップ）を意味する。
【０００５】
３ＧＰＰ  ＴＳ  ２３．４０２  Ｒｅｌｅａｓｅ  ８  ｓｐｅｃｉｆｉｃａｔｉｏｎは、アクセスネットワーク発見および選択機能（ＡＮＤＳＦ）と呼ばれるネットワーク要素を規定する。このＡＮＤＳＦは、オペレータのポリシーに従ったネットワーク発見および選択の支援データを提供するのに必要なデータ管理および制御機能性を含む。実際には、ＡＮＤＳＦは、以下のタスクを実行することができる：
−  アクセスネットワーク発見および選択を実行することによってＵＥを支援すること、
−  ＵＥにネットワーク発見および選択に関する情報のセットを提供すること、
−  アクセスネットワークまたはシステム間モビリティポリシーを選択することによってＵＥを支援すること、
−  システム間の変更を実行することによってＵＥを制御および支援すること。
【０００６】
ＡＮＤＳＦは、ネットワークトリガーに基づいて、またはＵＥとの以前の通信の結果として、アクセスネットワーク発見情報に関するＵＥの要求に応じることになり（プルモード）、また、ＵＥへのデータ転送を開始することができる（プッシュモード）。これを行うために、ＩＰネットワークを介して到達可能なＵＥとＡＮＤＳＦサーバとの間のダイレクトインターフェースＳ１４が規定される。ＡＮＤＳＦサーバによって、所与のネットワークのＱｏＳもしくは負荷のような動的情報またはＷｉ−Ｆｉネットワークマップによる発見情報に基づくポリシーがＵＥに提供され得る。
【０００７】
それにもかかわらず、ローカルの無線状態は非常に早く変化し得るので、オペレータが中央集中化されたＡＮＤＳＦサーバから膨大な数のセルのアクセスポイントの状況を監視することは困難であり、ポリシーの更新はアクセスポイントの近くに位置するＵＥにとって意味があるだけである。
【０００８】
それゆえ、現在の通信システムはＡＮＤＳＦの機能性を効果的に利用しておらず、改善されるべきである。
【先行技術文献】
【非特許文献】
【０００９】
【非特許文献１】３ＧＰＰ  ＴＳ  ２３．４０２  Ｒｅｌｅａｓｅ  ８  ｓｐｅｃｉｆｉｃａｔｉｏｎ
【発明の概要】
【発明が解決しようとする課題】
【００１０】
１つの目的は、前述の問題に対する解決策を提供し、従来技術に勝る他の利点を提供することである。
【課題を解決するための手段】
【００１１】
さまざまな実施形態は、上記の問題の１つまたは複数の影響に対処することに向けられる。以下は、さまざまな実施形態のいくつかの態様についての基本的な理解を提供するために、実施形態の簡略化された概要を示すものである。この概要は、これらのさまざまな実施形態の包括的な概観ではない。これは、主要な、重要な要素を特定すること、または、これらのさまざまな実施形態の範囲を正確に示すことを意図するものではない。その唯一の目的は、後述されるより詳細な記述の前置きとして簡略化された形でいくつかの概念を示すことである。
【００１２】
さまざまな実施形態は、モバイルネットワークのコアネットワークと関連付けられ、前記モバイルネットワークの無線アクセスネットワークと関連付けられ、かつ中央アクセスネットワーク発見および選択機能サーバが少なくともローカルポリシーに関する委譲を行うローカルアクセスネットワーク発見および選択機能サーバへのユーザ装置によるアクセスのために前記モバイルネットワークにおける専用ベアラの確立のトリガリングを要求するように構成された中央アクセスネットワーク発見および選択機能サーバに関する。
【００１３】
広い態様によれば、上記中央アクセスネットワーク発見および選択機能サーバは、ユーザ装置から受信したポリシー要求メッセージに応答してポリシー委譲メッセージを送信するようにさらに構成され、前記ポリシー委譲メッセージは、ローカルアクセスネットワーク発見および選択機能サーバに関する情報を含む。
【００１４】
別の広い態様によれば、上記中央アクセスネットワーク発見および選択機能サーバは、ポリシー課金ルール機能モジュールに専用ベアラの確立のトリガリングを要求するようにさらに構成される。
【００１５】
さらに、さまざまな実施形態は、モバイルネットワークの無線アクセスネットワークと関連付けられ、かつ前記モバイルネットワークのコアネットワークと関連付けられた中央アクセスネットワーク発見および選択機能サーバが少なくともローカルポリシーに関する委譲を行うローカルアクセスネットワーク発見および選択機能サーバに、前記アクセスのために前記モバイルネットワークにおいて確立される専用ベアラを介してアクセスするように構成されたユーザ装置に関する。
【００１６】
広い態様によれば、上記ユーザ装置は、
−  中央アクセスネットワーク発見および選択機能サーバにポリシー要求メッセージを送信して、ポリシー情報を取得または更新し、
−  中央アクセスネットワーク発見および選択機能サーバからポリシー委譲メッセージを受信するようにさらに構成され、前記ポリシー委譲メッセージが、中央アクセスネットワーク発見および選択機能サーバが少なくともローカルポリシーをローカルアクセスネットワーク発見および選択機能サーバに委譲することをユーザ装置に通知し、かつローカルアクセスネットワーク発見および選択機能サーバに関する情報を含むポリシー委譲メッセージである。
【００１７】
別の広い態様によれば、上記ユーザ装置は、ローカルアクセスネットワーク発見および選択機能サーバに関する情報を、専用ベアラに関係する情報と関連付けるようにさらに構成される。
【００１８】
さらに、さまざまな実施形態は、ユーザ装置との間の専用無線アクセスベアラを確立するように構成されたモバイルネットワークの基地局に関し、専用無線アクセスベアラは、前記モバイルネットワークの無線アクセスネットワークと関連付けられ、かつ中央アクセスネットワーク発見および選択機能サーバが少なくともローカルポリシーに関する委譲を行うローカルアクセスネットワーク発見および選択機能サーバにユーザ装置によってアクセスするのに用いられる。
【００１９】
広い態様によれば、上記基地局は、
−  専用無線アクセスベアラからユーザ装置着信データを抽出し、
−  抽出したデータをローカルアクセスネットワーク発見および選択機能サーバに対して伝送するように構成されたモジュールを備える。
【００２０】
別の広い態様によれば、上記モジュールは、
−  専用無線アクセスベアラに関係する情報を格納し、
−  ユーザ装置からの着信アップリンクデータに関連付けられたベアラごとにベアラ情報を検証し、
−  ベアラ情報が格納された専用無線アクセスベアラに関係する情報と一致するときに、データを抽出し、ローカルアクセスネットワーク発見および選択機能サーバに対して伝送するようにさらに構成される。
【００２１】
別の広い態様によれば、ベアラ情報は、トンネルエンドポイント識別子（Ｔｕｎｎｅｌ  Ｅｎｄｐｏｉｎｔ  Ｉｄｅｎｔｉｆｉｅｒ）または識別子のサービス品質クラスを含む。
【００２２】
別の広い態様によれば、モジュールは、専用無線アクセスベアラを用いてローカルアクセスネットワーク発見および選択機能サーバからユーザ装置にデータを伝送するようにさらに構成される。
【００２３】
さらに、さまざまな実施形態は、ユーザ装置が、基地局とインターフェース接続されるローカルアクセスネットワーク発見および選択機能サーバにアクセスできるようにするためのシステムに関し、これらのシステムは、
−  基地局および中央アクセスネットワーク発見および選択機能サーバに接続されるユーザ装置と、
−  パケットデータネットワークゲートウェイに接続される基地局と、
−  ポリシー課金ルール機能モジュールとインターフェース接続される中央アクセスネットワーク発見および選択機能サーバと、
−  中央アクセスネットワーク発見および選択機能サーバであって、
○ローカルアクセスネットワーク発見および選択機能サーバへのあるレベルのポリシー制御の委譲をユーザ装置に通知し、
○ポリシー課金ルール機能モジュールに、パケットデータネットワークゲートウェイからユーザ装置への専用ベアラの確立をトリガーするよう要求するように構成された中央アクセスネットワーク発見および選択機能サーバとを備える。
【００２４】
さらに、さまざまな実施形態は、ユーザ装置が、モバイルネットワークの無線アクセスネットワークと関連付けられ、かつ前記モバイルネットワークのコアネットワークと関連付けられた中央アクセスネットワーク発見および選択機能サーバが少なくともローカルポリシーに関する委譲を行うローカルアクセスネットワーク発見および選択機能サーバにアクセスできるようにするための方法に関し、これらの方法は、前記モバイルネットワークにおいて前記アクセスのために確立される専用ベアラを用いる前記アクセスを可能にすることを含む。
【００２５】
広い態様によれば、上記方法は、中央アクセスネットワーク発見および選択機能サーバによって、ローカルアクセスネットワーク発見および選択機能サーバへのあるレベルのポリシー制御の委譲をユーザ装置に通知することをさらに含む。
【００２６】
別の広い態様によれば、上記方法は、中央アクセスネットワーク発見および選択機能サーバによって、ポリシー課金ルール機能モジュールに、専用ベアラの確立をトリガーするよう要求することをさらに含む。
【００２７】
別の広い態様によれば、専用ベアラの確立のトリガリングに続いて、基地局がユーザ装置との間の専用無線アクセスベアラを確立し、この専用無線アクセスベアラは、ローカルアクセスネットワーク発見および選択機能サーバへの前記アクセスのために用いられる。
【００２８】
別の広い態様によれば、上記方法は、
−  基地局に含まれるモジュールによって、専用無線アクセスベアラからユーザ装置着信データを抽出すること、
−  モジュールによって、抽出したデータをローカルアクセスネットワーク発見および選択機能サーバに対して伝送すること、
−  モジュールによって、専用無線アクセスベアラに関係する情報を格納すること、
−  モジュールによって、ユーザ装置からの着信アップリンクデータに関連付けられたベアラごとにベアラ情報を検証すること、
−  モジュールによって、ベアラ情報が格納された専用無線アクセスベアラに関係する情報と一致するときに、データを抽出し、ローカルアクセスネットワーク発見および選択機能サーバに対して伝送することをさらに含む。
【００２９】
別の広い態様によれば、上記方法は、専用無線アクセスベアラを用いる、ローカルアクセスネットワーク発見および選択機能サーバからユーザ装置へのモジュールによるデータの伝送をさらに含む。
【００３０】
さまざまな実施形態はさらに、上記方法を実行するためのコンピュータプログラム製品に関する。
【００３１】
さまざまな実施形態はさまざまな変更形態および代替形態が可能であるが、その具体的な実施形態が図面において例として示されている。しかしながら、具体的な実施形態についての本明細書における記述は、さまざまな実施形態を開示される特定の形態に限定する意図ではないことを理解されたい。
【００３２】
そのような実際の実施形態の開発において、実施に特有の決定は、例えばシステム関連およびビジネス関連の制約の順守など開発者の具体的な目標を達成するように行われるべきであることは、当然認識されるであろう。そのような開発努力は時間のかかることかもしれないが、それでも本開示の利益を享受する当業者にとっては当たり前の理解であろうことが認識されよう。
【００３３】
さまざまな実施形態の目的、利点および他の特徴は、以下の開示および特許請求の範囲からより明らかとなろう。好ましい実施形態の以下の非制限的な記述は、単に添付の図面を参照して例示する目的でなされる。
【図面の簡単な説明】
【００３４】
【図１】さまざまな実施形態による機能的構成要素を示す概略図である。
【発明を実施するための形態】
【００３５】
以下に記述されるさまざまな実施形態において、これより先Ｃ−ＡＮＤＳＦサーバと呼ばれる中央ＡＮＤＳＦサーバは、
−  これより先Ｌ−ＡＮＤＳＦサーバと呼ばれるローカルＡＮＤＳＦサーバに、あるレベルの制御を委譲し、
−  および／または、ＷＩＳＰ（Ｗｉｒｅｌｅｓｓ  Ｉｎｔｅｒｎｅｔ  Ｓｅｒｖｉｃｅ  Ｐｒｏｖｉｄｅｒ）パートナーに、あるレベルの権限を委譲するように構成される。
【００３６】
Ｃ−ＡＮＤＳＦサーバがＬ−ＡＮＤＳＦサーバに委譲を行うとき、Ｃ−ＡＮＤＳＦサーバは、Ｌ−ＡＮＤＳＦサーバにアクセスするための手段をＵＥに提供する。したがって、Ｌ−ＡＮＤＳＦサーバに到達するためにどの情報がＵＥに提供されることになるか、および、この情報をＵＥにどのように提供するかが識別されるべきである。そのような適切な情報によって、ＵＥがＬ−ＡＮＤＳＦサーバにアクセスすること、および、そこから所定のローカルポリシーを取得することが可能となる。
【００３７】
図１を参照すると、ＵＥ１はモバイルネットワークの基地局２に接続される。この基地局２は、例えばルータ（図１には図示せず）を用いるなど適切な手段によってＰＧＷ３に接続され得る。
【００３８】
例えば、モバイルネットワークはＬＴＥネットワークであり得、基地局２はｅＮｏｄｅＢであり得、また、ルータはサービングゲートウェイ（ＳＧＷ）であり得る。
【００３９】
本記述において、考えられるモバイルネットワークはＬＴＥネットワークである。しかしながら、ＬＴＥネットワークの代わりに、任意の他の３ＧＰＰモバイルネットワーク、任意の同等のモバイルネットワーク、または任意の次のモバイルネットワーク（ＬＴＥ  Ａｄｖａｎｃｅｄなど）もまた考えられ得る。例えば、モバイルネットワークがＵＭＴＳであること、基地局２がｎｏｄｅＢであること、また、ルータがＳＧＳＮ（Ｓｅｒｖｉｎｇ  ＧＰＲＳ  Ｓｕｐｐｏｒｔ  Ｎｏｄｅ）であることも可能である。
【００４０】
ＵＥ１はまた、構成されたＩＰアドレスを介してＵＥ１から到達可能とされるＣ−ＡＮＤＳＦ４サーバに接続される。このＣ−ＡＮＤＳＦ４サーバは、ＵＥ１のホームオペレータネットワーク内に配置され、ＰＧＷ３とインターフェース接続されるＰＣＲＦ５（Ｐｏｌｉｃｙ  Ｃｈａｒｇｉｎｇ  Ｒｕｌｅ  Ｆｕｎｃｔｉｏｎ：ポリシー課金ルール機能）モジュールとインターフェース接続される（場合によっては同一箇所に配置される）。
【００４１】
さらに、Ｌ−ＡＮＤＳＦ６サーバはｅＮｏｄｅＢ２とインターフェース接続され、例えば図１に示されるようにｅＮｏｄｅＢ２と同一箇所に配置される。しかし、Ｌ−ＡＮＤＳＦ６サーバは、ｅＮｏｄｅＢ２の装置の内部に存在するのではなくｅＮｏｄｅＢ２とインターフェース接続されることも可能である。
【００４２】
ＵＥ１はＣ−ＡＮＤＳＦ４サーバにポリシー要求メッセージ１００を送信して、システム間モビリティポリシー、またはシステム間伝送ポリシー、または周辺における利用可能なアクセスネットワークに関する情報、またはＡＮＤＳＦサーバによって提供される任意の他の種類の情報もしくはこれらの情報のタイプの任意の組合せを取得または更新する。例えば、ＵＥ１はＣ−ＡＮＤＳＦ４サーバに、Ｗｉ−Ｆｉマップ、どのＷｉ−Ｆｉネットワークが使用されることになるか、または、どのアプリケーションがＷｉ−Ｆｉにオフロードされるべきかというようなオペレータポリシーを要求することができる。
【００４３】
ＵＥ１（ポリシー要求メッセージ１００の送信元）がＣ−ＡＮＤＳＦ４サーバに交信してポリシー情報を要求するという事実は、従来技術では「プル」モデルと呼ばれる。一方で、いかなるＵＥ１の要求もなしに、Ｃ−ＡＮＤＳＦ４サーバがポリシー情報をＵＥ１に直接プッシュ／送信する「プッシュ」モデルもまた考えられ得る。
【００４４】
ポリシー要求１００の受信に続き、Ｃ−ＡＮＤＳＦ４サーバはこれに応じてＵＥ１にポリシー委譲メッセージ１０１を送信する。このメッセージは、Ｃ−ＡＮＤＳＦ４サーバがｅＮｏｄｅＢ２とインターフェース接続されるＬ−ＡＮＤＳＦ６サーバに、あるレベルのポリシー制御を委譲することをＵＥ１に通知することを目的とする。これを行うために、ポリシー委譲メッセージ１０１によって、Ｌ−ＡＮＤＳＦ６サーバの（プライベート）ＩＰアドレスのような情報がＵＥ１に伝達される。ポリシー委譲メッセージ１０１の受信に続いて、ＵＥ１はＬ−ＡＮＤＳＦ６サーバにアクセスしてローカルポリシーを要求および取得することを要する。
【００４５】
ポリシー委譲メッセージ１０１を送信すると同時に（または送信する前に）、Ｃ−ＡＮＤＳＦ４サーバは、ＰＧＷ３からＵＥ１への専用ベアラの確立をトリガーするために、ＰＣＲＦ５モジュールに要求メッセージ１０２を送信する。この要求メッセージ１０２は、専用ベアラを確立するために、Ｌ−ＡＮＤＳＦ６サーバのＩＰアドレスのようなＣ−ＡＮＤＳＦ４によって提供される情報を含んでよい。この専用ベアラは、Ｌ−ＡＮＤＳＦ６サーバにアクセスするため、およびＬ−ＡＮＤＳＦトラフィックを伝送するためにのみ、さらに用いられる。
【００４６】
本明細書においては、Ｌ−ＡＮＤＳＦトラフィックにより、Ｌ−ＡＮＤＳＦ６サーバに関係する（即ち、関連付けられる）パケットが意味される。例えば、アップリンクのＬ−ＡＮＤＳＦトラフィックはローカルポリシーに関するＵＥ１のクエリに関係し、ダウンリンクのＬ−ＡＮＤＳＦトラフィックはＵＥ１のクエリに対するＬ−ＡＮＤＳＦ６サーバの応答に関係し得る。
【００４７】
要求メッセージ１０２の受信に続いて、ＰＣＲＦ５モジュールは、専用ベアラを確立するために、ＰＧＷ３にトリガリングメッセージ１０３を送信する。より詳細には、ＰＣＲＦ５モジュールは専用ベアラの確立に用いるための情報をＰＧＷ３に伝達する。例えば、ＰＣＲＦ５モジュールは、トラフィックフローテンプレート（ＴＦＴ）機能、Ｌ−ＡＮＤＳＦ６サーバのＩＰアドレス（即ち、ＴＦＴに関するＩＰ宛先アドレス）およびＱＣＩ（ＱｏＳ  ｃｌａｓｓ  ｏｆ  ｉｄｅｎｔｉｆｉｅｒ：識別子のサービス品質クラス）のような情報を、利用するために伝達することができる。
【００４８】
伝達された情報に基づいて、ＰＧＷ３は、ＬＴＥネットワーク全体に沿って、即ちＰＧＷ３ベアラコンテキスト７からＵＥ１専用ＲＡＢ（Ｒａｄｉｏ  Ａｃｃｅｓｓ  Ｂｅａｒｅｒ：無線アクセスベアラ）８まで、専用ベアラを確立する。この専用ベアラは、従来技術において知られている手順に従って確立される。詳細には、ＴＦＴおよびＱＣＩのような情報は、ネットワークの異なるエンティティ（ＰＧＷ、ＳＧＷ、ｅＮｏｄｅＢ）間で伝達され、また、ｅＮｏｄｅＢ２との間の専用ＲＡＢ８の確立のためにこれらの情報を用いるＵＥ１に伝達される。
【００４９】
実際には、専用ＲＡＢ８は、ＵＥ１がＬ−ＡＮＤＳＦ６サーバに到達／アクセスできるように、および、データをＬ−ＡＮＤＳＦ６サーバに送信／Ｌ−ＡＮＤＳＦ６サーバから受信することができるようにする。専用ＲＡＢ８においてＬ−ＡＮＤＳＦ６サーバに関係するパケットをカプセル化するために、ＵＥ１は、専用ＲＡＢ８が確立する間にｅＮｏｄｅＢ２によって伝達されるＴＦＴを用い、このＴＦＴはＬ−ＡＮＤＳＦ６サーバの（プライベート）ＩＰ宛先アドレスを含む。
【００５０】
従来技術において知られているように、ＵＥ１とＰＧＷ３との間の他のパケット（即ち、Ｌ−ＡＮＤＳＦ６サーバに関係しない）はカプセル化され、任意の他のＲＡＢ９および任意の他のＰＧＷ３ベアラコンテキスト１０を介して伝送される。
【００５１】
Ｌ−ＡＮＤＳＦ６サーバに向かうアップリンクトラフィック（即ち、ローカルポリシーに関するＵＥ１の要求）は、ｅＮｏｄｅＢ２によって専用ＲＡＢ８から直接に、またはｅＮｏｄｅＢ２との間に確立される各ベアラのＱＣＩまたはＴＥＩＤ（Ｔｕｎｎｅｌ  Ｅｎｄｐｏｉｎｔ  Ｉｄｅｎｔｉｆｉｅｒ：トンネルエンドポイント識別子）のような情報の分析に基づいて伝送され得る。実際には、パケットの伝送、より詳細には専用ＲＡＢ８とＬ−ＡＮＤＳＦ６サーバとの間のマッピングは、ｅＮｏｄｅＢレベルで実行される。
【００５２】
例えば、ＵＥ１から関連付けられたトンネル（即ちベアラ）を介してｅＮｏｄｅＢ２に到達するアップリンクトラフィックが分析される。より正確には、ｅＮｏｄｅＢ２はトンネルのＱＣＩまたはＴＥＩＤのような情報を分析し、トラフィックがＬ−ＡＮＤＳＦ６サーバに関係するか否かを識別し、次にＬ−ＡＮＤＳＦ６サーバに向かうトラフィック、またはＰＧＷ３に向かうトラフィックをそれぞれ伝送する。従来技術において知られているように、ｅＮｏｄｅＢ２はまた、ＵＥ１に向かうダウンリンクトラフィック（Ｌ−ＡＮＤＳＦ６サーバに関係する、または関係しない）を伝送する役割も担う。
【００５３】
一実施形態において、モジュールは上述の機能の一部を実現する役割を担ってよい。例えば、ｅＮｏｄｅＢ２は、
−  専用ＲＡＢ８に関係する、ＴＥＩＤまたはＱＣＩのような情報を記憶／格納し、
−  ベアラ情報が格納された専用ＲＡＢ８に関係する情報と一致するかどうか、ＵＥ１からの着信アップリンクトラフィックに関連付けられたベアラごとに検証し、
−  情報が一致する場合、ベアラからトラフィックを抽出し、このトラフィックを、インターフェースを介してＬ−ＡＮＤＳＦ６サーバに対して伝送し、
−  ＵＥ１に向かう専用ＲＡＢ８において、Ｌ−ＡＮＤＳＦトラフィックの逆向きの伝送を管理するように、即ちＬ−ＡＮＤＳＦ６サーバから来るダウンリンクパケット（即ち、ローカルポリシーに関するＵＥ１の要求に対するＬ−ＡＮＤＳＦ６サーバの応答）を再カプセル化するように
構成されたモジュール１１を備えてよい。
【００５４】
さらに、２つ以上のＵＥ１がｅＮｏｄｅＢ２に接続されてもよいので、モジュール１１は２つ以上の専用ＲＡＢ８を管理できることが容易に理解され得る。より詳細には、モジュール１１は、各ＵＥ１との間に確立された各専用ベアラ８に関係する情報を格納することができ、対応する専用ＲＡＢ８、即ちアップリンクのＬ−ＡＮＤＳＦトラフィックが抽出された専用ＲＡＢ８において、ダウンリンクのＬ−ＡＮＤＳＦパケットを再カプセル化することができる。
【００５５】
有利には、提案される解決策は、Ｌ−ＡＮＤＳＦ６サーバに関するパブリックＩＰアドレスを設定する必要、またはパケットの各ＩＰ宛先アドレスを確認する必要なく、ｅＮｏｄｅＢ２レベルにおいてＬ−ＡＮＤＳＦトラフィックをフィルタリングすることを可能にする。実際、トラフィックをフィルタリングするためには、すべてのユーザプレーントラフィックの各ＩＰ宛先アドレスを調べるよりも、ｅＮｏｄｅＢ２においてベアラ間のマッピングによる利点を得る方が、より容易である。
【００５６】
有利には、各専用ＲＡＢ８は、Ｃ−ＡＮＤＳＦ４サーバからＬ−ＡＮＤＳＦ６サーバに関係するポリシー委譲メッセージ１０１を受信した各ＵＥ１のためにのみ確立される。Ｌ−ＡＮＤＳＦ６サーバにアクセスし、Ｌ−ＡＮＤＳＦトラフィックを伝送するための情報は、専用ＲＡＢ８の確立のために各ＵＥ１に提供されるにすぎない。
【００５７】
上述の実施形態によれば、Ｌ−ＡＮＤＳＦサーバはパブリックに到達可能（例えば、ＵＥに提供されるパブリックＩＰアドレスを介するなど）ではないことが有利であり、このことは、セキュリティおよびアーキテクチャの観点から特に重要であろう。
【００５８】
さらに、上述の実施形態によれば、Ｌ−ＡＮＤＳＦシグナリングと関連付けられたものを識別するために、Ｌ−ＡＮＤＳＦサーバへのアクセスは、ｅＮｏｄｅＢによって処理されるすべてのユーザプレーンデータグラムのＩＰ宛先のいかなる体系的検証もなしに提供され、結果として性能の向上をもたらす。
【図１】
2016536814.tif 000003
【国際調査報告】
2016536814.tif 000004
2016536814.tif 000005
2016536814.tif 000006